(57)【特許請求の範囲】
【請求項１】
上面板２と前後左右の側面板３，３，６，６と底面板４とから成る、適宜の偏平直方体状の箱体１０において、
上面板２と前後の側面板３，３との中央部に、連続した前後方向の切れ目線ａ，ａを設けて、また底面板４の中央部に、前後方向の折り目線ｂ，ｂを設けて、さらに底面板４の左辺から中央部にかけて、繋止凸部ｃ付の底部固定片ｄを切れ目線ｅ，ｅで区画して設けて、この底面板４の右辺に、繋止凸部ｃを挿入する繋止切れ目ｆを設け、
上面板２の４つの角隅から中央部にかけて、斜めの折り目線ｈ，ｈ，ｈ，ｈを設けたことを特徴とする電子レンジ加熱用の箱体。
【発明の詳細な説明】
【０００１】
【発明の属する技術分野】
本発明は、例えば調理済のカレーソースのような、加熱するだけで賞味することができる袋体２０入りの食品類を収容する箱体１０であって、底面板４を三角形状に固定して自立安定性を付与した状態で、袋体２０入りの食品類を収容して電子レンジで加熱する、板紙製や段ボール紙製などの電子レンジ加熱用の箱体に関する。
【０００２】
【従来の技術】
従来から、例えば調理済のカレーソースのような、加熱するだけで賞味することができる食品類を、柔軟性を有する積層樹脂フィルム製などの偏平な袋体２０に密封した、レトルト食品と通称する袋体２０入りの食品類を収容する箱体１０であって、例えば図３に示すような、上面板２と前後左右の側面板３ ,３ ,６ ,６と底面板４とから成る、左右が偏平な直方体状の箱体１０において、右の側面板６の中央下部に、図３Ａ ,Ｂに示す通常のスタンド３０を貼着した( 特開平１１−２４０５８２号公報を参照 )、板紙製や段ボール紙製などの電子レンジ加熱用の箱体が、一般に広く用いられている。
【０００３】
この従来の、図３に示す電子レンジ加熱用の箱体においては、箱体１０の上部の手前側を、図示していない切れ目線に沿って斜めに切断して、また袋体２０の上部の手前側を、斜めに切断して開封( 蒸気抜き )して、図３Ａ ,Ｂに示すように、通常のスタンド３０を組立てて、電子レンジのターンテーブル上に、左右が偏平な直方体状の箱体１０を少し右に傾けて載置するだけで、簡単に偏平な左右方向の自立安定性を付与した状態で、袋体２０入りの食品類を収容したまま電子レンジで加熱することができる、しかも、この箱体１０を持上げて手前側に傾けるだけで、簡単に加熱した食品類を袋体２０から取出すことができる。
【０００４】
【発明が解決しようとする課題】
ところが従来の、図３に示す電子レンジ加熱用の箱体については、簡単に偏平な左右方向の自立安定性を付与した状態で、袋体２０入りの食品類を収容したまま電子レンジで加熱することができるものの、通常のスタンド３０を、余分な板紙や段ボール紙などを用いて別体で作製する必要があるために、また通常のスタンド３０を、余分な貼着工程で右の側面板６の中央下部に貼着する必要があるために、材料費が嵩んで工程が複雑になることが問題であった。
【０００５】
そこで、本発明の目的は、例えば調理済のカレーソースのような、加熱するだけで賞味することができる袋体２０入りの食品類を収容する箱体１０であって、底面板４を三角形状に固定して自立安定性を付与した状態で、袋体２０入りの食品類を収容して電子レンジで加熱する、工程が簡単で作製費用が廉価な、板紙製や段ボール紙製などの電子レンジ加熱用の箱体を提供することにある。
【０００６】
【課題を解決するための手段】
本発明の電子レンジ加熱用の箱体は、図１ ,図２に示すように、上面板２と前後左右の側面板３ ,３ ,６ ,６と底面板４とから成る、適宜の偏平直方体状の箱体１０において、上面板２と前後の側面板３ ,３との中央部に、連続した前後方向の( 図１Ａ ,Ｂでは２列の )切れ目線ａ ,ａを設けて、また底面板４の中央部に、前後方向の( 図１Ａでは１列の )折り目線ｂ ,ｂを設けて、さらに底面板４の左辺から中央部にかけて、繋止凸部ｃ付の底部固定片ｄを切れ目線ｅ ,ｅ( と図１Ａでは指掛け孔ｇと )で区画して設けて、この底面板４の右辺に、繋止凸部ｃを挿入する繋止切れ目ｆを設けたことを特徴とする電子レンジ加熱用の箱体である。
【０００７】
本発明の電子レンジ加熱用の箱体においては、切れ目線ａ ,ａを切断して、また折り目線ｂ ,ｂを谷折り( 印刷をした外面側が谷になる、すなわち図２Ｂ ,Ｃでは底面板４の内面側が山になる、以下同じ )して、図２Ａに示す偏平直方体状の箱体１０を、図２Ｂ ,Ｃに示すように、左右に分割した状態で開封して、底面板４の左辺から中央部にかけての繋止凸部ｃ付の底部固定片ｄを引出すように、切れ目線ｅ ,ｅを切断して、底面板４の右辺の繋止切れ目ｆに、この底部固定片ｄの繋止凸部ｃを挿入して繋止するだけで、簡単に底面板４を三角形状に固定することができる。
【０００８】
すなわち、本発明の電子レンジ加熱用の箱体においては、例えば調理済のカレーソースのような、加熱するだけで賞味することができる食品類を、柔軟性を有する積層樹脂フィルム製などの偏平な袋体２０に密封した、レトルト食品と通称する袋体２０入りの食品類を収容した、図２Ａに示す偏平直方体状の箱体１０を、図２Ｂ ,Ｃに示すように、左右に分割した状態で開封して、食品類を密封した偏平な袋体２０を取出して、この袋体２０の上部を切断して開封( 蒸気抜き )した後に、底面板４の右辺の繋止切れ目ｆに、底面板４の左辺から中央部にかけての底部固定片ｄの繋止凸部ｃを挿入して繋止した、底面板４を三角形状に固定して自立安定性を付与した状態で、左右に分割した状態の箱体１０の、どちらか一方又は両方( 図２Ｃでは両方 )に、上部を切断して開封した袋体２０入りの食品類を再び収容して、電子レンジのターンテーブル上に載置して加熱する、板紙製や段ボール紙製などの電子レンジ加熱用の箱体を提供することができる。
【０００９】
加えて、本発明の電子レンジ加熱用の箱体は、前述した電子レンジ加熱用の箱体において、図１Ａ ,Ｂ ,図２Ｂに示すように、上面板２の４つの角隅から中央部にかけて、斜めの折り目線ｈ ,ｈ ,ｈ ,ｈを設けたことを特徴とする電子レンジ加熱用の箱体である。
【００１０】
本発明の電子レンジ加熱用の箱体においては、前述した左右に分割した状態の箱体１０の、どちらか一方又は両方に、上部を切断して開封した袋体２０入りの食品類を再び収容して、電子レンジのターンテーブル上に載置して加熱する時に、食品類が沸騰して、袋体２０が膨張 ,変形することがあっても、左右に分割した状態の箱体１０の、上面板２の４つの角隅から中央部にかけて設けた斜めの折り目線ｈ ,ｈ ,ｈ ,ｈが山折り( 印刷をした外面側が山になる、以下同じ )されて、前後方向に均等な安定した山状に変形するために、箱体１０の転倒や食品類の流出などを防ぐことができる。
【００１１】
【発明の実施の形態】
本発明の電子レンジ加熱用の箱体については、後述する実施例に示すように、通常の印刷をした適宜の板紙や段ボール紙などを用いて、通常の打抜型を用いた打抜工程で、無駄が少ない長方形状の電子レンジ加熱用の箱体のブランクを作製して、通常の機械的な製箱 ,充填工程で、後の側面板３の後端部と糊代片５とを角筒状に貼着して、例えば調理済のカレーソースのような、加熱するだけで賞味することができる袋体２０入りの食品類を収容した後に、左右の側面板６ ,６と側面内板７ ,７とをそれぞれ貼着するなどして、簡単に偏平直方体状に製箱することができる、工程が簡単で作製費用が廉価な、板紙製や段ボール紙製などの電子レンジ加熱用の箱体を提供することができる。
【００１２】
【実施例】
図１Ａは、本発明の実施例における、電子レンジ加熱用の箱体のブランクの平面図であって、図１Ｂは、電子レンジ加熱用の箱体の斜視図である。
また図２Ａは、実施例の電子レンジ加熱用の箱体における、偏平直方体状の箱体１０の断面図であって、図２Ｂ ,Ｃは、底面板４を三角形状に固定した状態を示す斜視図 ,断面図である。
【００１３】
すなわち、左右辺に折込み片８ ,８を連設した後の側面板３と、左右辺に左右の側面板６ ,６を連設した上面板２と、左右辺に折込み片８ ,８を連設した前の側面板３と、左右辺に側面内板７ ,７を連設した底面板４と、糊代片５とを、折り目線( 符号がない１点鎖線、以下同じ )を介して順に連設して成る、縦 ,横 ,高さが１０８×１６０×２８ｍｍの偏平直方体状の箱体１０において、上面板２と前後の側面板３ ,３との中央部に、連続した前後方向の、切断方向の上流側が互いに内側に屈曲した２列のミシン目状の( ジッパー線と通称する )切れ目線ａ ,ａを設けて、また底面板４の中央部に、前後方向の１列の折り目線ｂ ,ｂを設けて、さらに底面板４の左辺から中央部にかけて、繋止凸部ｃ付の底部固定片ｄを切れ目線ｅ ,ｅと指掛け孔ｇとで区画して設けて、この底面板４の右辺に、繋止凸部ｃを挿入する繋止切れ目ｆを設けて、加えて上面板２の４つの角隅から中央部にかけて、斜めの折り目線ｈ ,ｈ ,ｈ ,ｈを設けた、図１Ａに示す電子レンジ加熱用の箱体のブランクであって、通常の印刷をした３５０ｇ／ｍ２  の裏白コートボール紙を用いて、通常の打抜型を用いた打抜工程で、無駄が少ない長方形状の電子レンジ加熱用の箱体のブランクを作製した。
【００１４】
次に、通常の機械的な製箱 ,充填工程で、図１Ａに示す電子レンジ加熱用の箱体のブランクの、全ての符号がない１点鎖線で示す折り目線を山折りして、後の側面板３の後端部と糊代片５とを角筒状に貼着して、調理済のカレーソースの１８０ｇ( １食分 )を、柔軟性を有する積層樹脂フィルム製の偏平な袋体２０に密封した、２袋( ２食分 )の袋体２０入りのカレーソースを収容した後に、折込み片８ ,８ ,８ ,８を折込んで、左右の側面板６ ,６と側面内板７ ,７とをそれぞれ貼着して、図１Ｂ( 図２Ａ )に示す偏平直方体状の、本実施例の電子レンジ加熱用の箱体を作製した。
【００１５】
続いて、図１Ｂに示す電子レンジ加熱用の箱体の、２列のジッパー線と通称する切れ目線ａ ,ａを切断して、また１列の折り目線ｂ ,ｂを谷折り( 底面板４の内面側が山になる )して、図２Ａに示す偏平直方体状の箱体１０を、図２Ｂ ,Ｃに示すように、左右に分割した状態で開封して、２袋の袋体２０入りのカレーソースを取出して、底面板４の左辺から中央部にかけての繋止凸部ｃ付の底部固定片ｄを引出すように、指掛け孔ｇに指を掛けて切れ目線ｅ ,ｅを切断して、底面板４の右辺の繋止切れ目ｆに、この底部固定片ｄの繋止凸部ｃを挿入して繋止したところ、簡単に底面板４を三角形状に固定することができた。
【００１６】
本実施例の電子レンジ加熱用の箱体においては、加熱するだけで賞味することができる、２袋( ２食分 )の袋体２０入りのカレーソースを収容した、図２Ａに示す偏平直方体状の箱体１０を、図２Ｂ ,Ｃに示すように、左右に分割した状態で開封して、２袋の袋体２０入りのカレーソースを一旦取出して、必要に応じて、１袋又は２袋の袋体２０の上部を切断して、蒸気抜きを兼ねて開封した後に、底面板４の右辺の繋止切れ目ｆに、底面板４の左辺から中央部にかけての底部固定片ｄの繋止凸部ｃを挿入して繋止した、底面板４を三角形状に固定して自立安定性を付与した状態で、左右に分割した状態の箱体１０の、どちらか一方に１袋( １食分 )の、また図２Ｃでは両方にそれぞれ１袋( ２食分 )の、それぞれ上部を切断して開封した袋体２０入りのカレーソースを再び収容して、電子レンジのターンテーブル上に載置して加熱する、裏白コートボール紙製の電子レンジ加熱用の箱体を得ることができた。
【００１７】
加えて、本実施例の電子レンジ加熱用の箱体においては、前述した左右に分割した状態の箱体１０の、どちらか一方又は両方に、上部を切断して開封した袋体２０入りのカレーソースを再び収容して、電子レンジのターンテーブル上に載置して加熱する時に、カレーソースが沸騰して、袋体２０が膨張 ,変形することがあっても、左右に分割した状態の箱体１０の、上面板２の４つの角隅から中央部にかけて設けた斜めの折り目線ｈ ,ｈ ,ｈ ,ｈが山折りされて、前後方向に均等な安定した山状に変形して、箱体１０の転倒やカレーソースの流出などを防ぐことができた。
【００１８】
【発明の効果】
以上、実施例ほかに示すとおり、本発明の電子レンジ加熱用の箱体においては、例えば調理済のカレーソースのような、加熱するだけで賞味することができる食品類を、柔軟性を有する積層樹脂フィルム製などの偏平な袋体２０に密封した、レトルト食品と通称する袋体２０入りの食品類を収容する箱体１０であって、底面板４を三角形状に固定して自立安定性を付与した状態で、左右に分割した状態の箱体１０の、どちらか一方又は両方に、上部を切断して開封した袋体２０入りの食品類を再び収容して、電子レンジのターンテーブル上に載置して加熱する、工程が簡単で作製費用が廉価な、板紙製や段ボール紙製などの電子レンジ加熱用の箱体を提供することができる。
【図面の簡単な説明】
【図１】本発明の実施例における、図１Ａは、電子レンジ加熱用の箱体のブランクの平面図であって、図１Ｂは、電子レンジ加熱用の箱体の斜視図である。
【図２】実施例の電子レンジ加熱用の箱体における、図２Ａは、偏平直方体状の箱体１０の断面図であって、図２Ｂ ,Ｃは、底面板４を三角形状に固定した状態を示す斜視図 ,断面図である。
【図３】図３Ａ ,Ｂは、従来の電子レンジ加熱用の箱体の斜視図 ,断面図である。
【符号の説明】
２      …上面板
３ ,６  …側面板
４      …底面板
５      …糊代片
７      …側面内板
８      …折込み片
１０    …箱体
２０    …袋体
３０    …スタンド
ａ ,ｅ  …切れ目線
ｂ ,ｈ  …折り目線
ｃ      …繋止凸部
ｄ      …底部固定片
ｆ      …繋止切れ目
ｇ      …指掛け孔
【図１】
0004682435.tif 000002
【図２】
0004682435.tif 000003
【図３】
0004682435.tif 000004